(57)【要約】【課題】フロアーシートを巻取る径が大きくなっても、転動輪のスリップ回転あるいは停止を防止でき、常にフロアーシートに対し、巻き取る力を伝達することができる巻取り機を提供するものである。また、一人で仮巻作業をすることができる操作性の良い巻取り機を提供するものである。さらに、フロアーシートに生じる片側への偏りやダブツキを緩和、吸収し、竹の子状や皺が発生しないようなフロアーシート巻取り機を提供するものである。【解決手段】床に敷かれた長尺のフロアーシートを、台車を手押し走行させながら巻き取るようにしたものにおいて、一方の車輪の走行力を、一方のギア群を介して、一方の転動輪に伝達してなり、また、他方の車輪の走行力を、他方のギア群を介して、他方の転動輪に伝達してなり、さらに、これらの転動輪を平行に併設するとともに、該転動輪の上に前記フロアーシートを載せ、その上に巻取り芯を回転自在に載置し、そして、台車の前方部に、フロアーシートを台車上へ案内するフローティングローラーを設けるように構成した。【選択図】      図５
2004307164.tif 000002
【特許請求の範囲】
【請求項１】
床に敷かれた長尺のフロアーシートを、台車を手押し走行させながら巻き取るようにしたものにおいて、一方の車輪の走行力を、一方のギア群を介して、一方の転動輪に伝達してなり、また、他方の車輪の走行力を、他方のギア群を介して、他方の転動輪に伝達してなり、さらに、これらの転動輪を平行に併設するとともに、該転動輪の上に前記フロアーシートを載せ、その上に巻取り芯を回転自在に載置してなることを特徴とするフロアーシート巻取り機。
【請求項２】
台車の前方部に、フローティングローラーを備え、前記フロアーシートを台車上へ案内してなることを特徴とする請求項１記載のフロアーシート巻取り機。
【発明の詳細な説明】
【０００１】
【発明の属する技術分野】
この発明は、ドーム球場や体育館等の床面に敷設した長尺のフロアーシートを、用済み後撤去するために、人力で作動する巻取り機に関する。特に、フロアーシートの巻取り径が大きくなって重量が嵩んできても、問題無くフロアーシートを巻取ることができる巻取り機に関する。また、台車の上でフロアーシートを仮巻する作業が容易であり、次の巻取り作業にスムーズに移ることができるようにした操作性の良い巻取り機に関する。更に、フロアーシートが片側に偏って竹の子状に巻き取られるようなことが無く、綺麗に巻き取ることができるフロアーシート巻取り機を提供する。
【０００２】
【従来の技術】
近年、ドーム球場や体育館等室内競技場の床面にフロアーシートが敷設されるようになった。これらの競技施設は多目的に使用されることが多い。そのため、イベントが開催される毎にフロアーシートを撤去しなければならない。例えば、イベント開催に合わせて体育館にフロアーシートを敷き、それが終わると、フロアーシートを撤去し、次のスポーツ競技のために床面に戻す。このようなことを繰り返すので、フロアーシートを巻取る頻度が高い。その都度、巻取り作業のために人手を確保することは容易ではなく、巻取り作業がネックとなっている。そのため、一人で作業ができ、しかも、フロアーシートを綺麗に巻取ることができる巻取り機を開発することが求められている。
【０００３】
従来のフロアーシート巻取り機の斜視図を図１に、側面図を図２に示す。フロアーシート巻取り機Ａの本体となる台車２０は、左右に箱形のフレーム２１、２１‘を備えている。このフレームの前部には、左右に車輪１、１’を取り付け、フレーム後部中央にはキャスター２２を組み付けている。また、台車２０の後部には、手押し用のハンドル２３を設けている。フロアーシートの巻取りは台車のハンドルを手押し、走行させながら行う。この時、車輪の走行する力がフロアーシートＢを巻取る力となる。巻取りの作用については、後述する。フレーム２１、２１‘の前方には、腕２６の先端にガイドローラー２４が組み付けられている。次に、フロアーシートを巻取る伝達機構の正面図を図３に、側面図を図４に示す。台車２０は左右の車輪１、１’と、これらを連結する車軸２で要部が構成されている。また、この車軸２の中央に差動装置７を設けている。また、台車２０の一方側にはチェーン３とギヤ群４を介して、転動輪５、５‘が備えられている。他方側には中間軸８とギヤ群４’を介して、転動輪５、５‘が備えられている。ここで、転動輪５、５’は軸長が短いコロ状のものである。フロアーシート巻取り機の中央全体を覆っているのは、巻取り芯６に巻き取られる途中のフロアーシートＢである。
【０００４】
以下に、フロアーシートＢを巻き取る作用を説明する。ハンドル２３を手押し、台車２０を走行させる。車輪１が回転すると、車輪の走行力はチェーン３、一方のギア群４を介し、一方の転動輪５、５‘に伝達される。また、車輪の走行力は、中間軸８、他方のギア群４’を介し、他方の転動輪５、５‘に伝達される。これらの力は、転動輪の上に載っている巻取り芯６に伝達される。フロアーシートＢは、フレームの前方で、腕２６の先端のガイドローラー２４に案内されて、台車上の巻取り芯に巻き取られる。ここで、ガイドローラーは、フロアーシートの幅より長い棒状のものである。この種の巻取り機が直進する際は、左右の車輪は同じ周速で回転する。しかし、カーブを走行する場合には差動装置７が作動して左右の車輪の回転差を吸収する。また、フロアーシートの巻取りを完了した後など、巻取りを行わないような時などは、チェーン３側のギア群４に連結したクラッチ（不図示）を外すことにより、転動輪への伝達が解除されて、車輪１、１’は自由回転となる。その結果、台車を手軽に手押し走行させることができる。
【０００５】
【発明が解決しようとする課題】
しかし、巻取り芯６は、フロアーシートＢの幅方向の両端部で、軸長が短い狭幅の転動輪５、５‘によって支えられているに過ぎない。そのため、巻取り径が大きくなって、巻取り芯の重量が嵩むに従い、左右四個の転動輪には、局所的に大きな荷重が集中する。その結果、転動輪はスリップ回転したり、停止するようなことが生じる。
【０００６】
また、両端の転動輪５、５‘は、軸長が短かく、狭幅なので、フロアーシートＢの幅全体を支承できない。フロアーシートを直接転動輪の上に載せると、中央が凹む。そのため、フロアーシートを巻取り芯６に仮巻きする時は、一旦、床の上にフロアーシートを広げ、その上に巻取り芯を載せ、ついで、フロアーシートの先端部を巻取り芯に仮巻きする。その後で、仮巻きした巻取り芯を転動輪の上に載せる。このように、直接、転動輪の上で仮巻きすることができず、二重手間がかかる。また、重量が嵩んだ巻取り芯を一人で転動輪の上に載せることは容易ではない。
【０００７】
また、フロアーシートＢは台車のフレーム２１、２１‘の前方で、腕２６の先端のガイドローラー２４に案内されて、台車の上の巻取り芯６に巻き取られる。ガイドローラーは、回転運動のみで、軸方向への動きは拘束されている。そのため、巻取り中、フロアーシートが片側へ偏ったり、ダブツキが生じるが、それを緩和、吸収できない等の欠点が指摘されている。
【０００８】
本発明は、上記事情に鑑みて、巻取り芯の巻取り径が大きくなって、重量が嵩んできても、転動輪のスリップ回転あるいは停止を防止でき、常にフロアーシートに対し、巻き取る力を伝達することができる巻取り機を提供するものである。また、フロアーシートの仮巻作業を一人でできる操作性の良い巻取り機を提供するものである。本発明は、さらに、フロアーシートに生じる片側への偏りやダブツキを緩和、吸収し、竹の子状や皺が発生しないようなフロアーシート巻取り機を提供するものである。
【０００９】
【課題を解決するための手段】
前記目的を達成するために、請求項１の発明は、床に敷かれた長尺のフロアーシートを、台車を手押し走行させながら巻き取るようにしたものにおいて、一方の車輪の走行力を、一方のギア群を介して、一方の転動輪に伝達してなり、また、他方の車輪の走行力を、他方のギア群を介して、他方の転動輪に伝達してなり、さらに、これらの転動輪を平行に併設するとともに、該転動輪の上に前記フロアーシートを載せ、その上に巻取り芯を回転自在に載置してなるフロアーシート巻取り機である。
【００１０】
また、請求項２の発明は、請求項１の発明の上記特徴に加えて、台車の前方部に、フローティングローラーを備え、フロアーシートを台車上へ案内してなるフロアーシート巻取り機である。
【００１１】
【発明の実施の形態】
本発明の実施の形態を、添付図面に例示した本発明の実施例に基ずいて以下に具体的に説明する。
【００１２】
図５は、本発明の実施例を示すもので、フロアーシート巻取り機の平面図である。図６は、側面図である。図７は、前記フロアーシートを巻取る伝達機構の平面図である。図８は、側面図である。
【００１３】
先ず、図５および図６に示すように、フロアーシート巻取り機Ａの本体となる台車２０には左右にフレーム２１、２１‘を備えている。このフレームの前部には、左右に車輪１、１‘を取り付け、フレーム後部中央にはキャスター２２を組み付けている。また、台車２０の後部には、手押し用のハンドル２３を設けている。また、フレーム前方部にはフロアーシートＢを巻取る際に、案内の役目をするフローティンングローラー２５を備えている。ここで、フローティンングローラーは、複数の短尺ローラーを軸方向に並べたもので、回転するとともに、軸方向にも微動するものである。
【００１４】
図７、図８を参照してフロアーシート巻取り機の伝達部材の構成を説明する。一方の車輪１にはギヤ群４が連結され、ついで、転動輪５に連結される。他方の車輪１‘には４’が連結され、ついで、転動輪５‘に連結される。一方の車輪１側の伝達部材と他方の車輪１’側の伝達部材は、それぞれ独立して伝達機構として構成されている。ここで、転動輪はフロアーシートの幅より長い棒状のものである。また、転動輪５および５‘はそれぞれが平行状態に併設される。この転動輪の上にフロアーシートＢが載せられ、その上に巻取り芯６が回転自在に載置されてフロアーシートは巻き取られる。
【００１５】
次に、伝達部材の作用を説明する。ハンドル２３を手で押すことにより、フロアーシート巻取り機は走行する。車輪の走行力は、歯車群を介して転動輪に伝わる。この力は、転動輪の上の載っているフロアーシートＢに伝わり、フロアーシートは巻取り芯６に巻き取られる。
【００１６】
この際、車輪の走行力は、左右個別に転動輪に伝達される。即ち、一方のギヤ群４を介して転動輪５に、他方のギヤ群４‘を介して転動輪５’に、それぞれ独立して車輪の走行力が伝達される。この点は、従来のように左右の伝達が連動しているものとは異なる。
【００１７】
フロアーシートＢを巻取る力を伝達する転動輪は、従来の巻取り機のように、軸長の短い狭幅のものではない。フロアーシートの幅方向全体を支承する長軸状のものである。この点も、従来の転動輪とは異なる。従って、転動輪には局所的に荷重が集中しないので、転動輪がスリップ回転したり、停止することは無く、常にフロアーシートに対し、巻き取る力が伝達される。即ち、巻取り芯の径が大きくなり、重量が嵩んでも、巻取る力は常にフロアーシートに伝達され、巻取りが突然、停止するようなことは無い。
【００１８】
また、上記したように、車輪からの走行力はそれぞれ独立して転動輪５および５‘に伝達される。そのため、一方の車輪がスリップ回転したり、回転しないようなことが生じた場合でも、他方の転動輪は回転するので、フロアーシートＢを正しく巻き取ることができる。また、左右の転動輪は直結、連動していないので、従来のように、左右の車輪の回転差を吸収する差動装置が無くても、容易にカーブを走行できる。さらに、フロアーシートの巻取りを完了した後など、巻取りを行わないような時でも、従来のようなクラッチ（不図示）を必要とせず、台車を手軽に手押し走行させることができる。
【００１９】
巻取り機の前方部には、軸方向に複数のフローティングローラー２５を備えている。フロアーシートＢはフローティングローラーの上に載って案内され、巻取り芯６に巻き取られる。ここで、フローティングローラー２５は、左右軸方向に微動しながら自在に回転する。即ち、フローティングローラーは算盤玉のように、回転と軸方向の動きをする。フロアーシートＢはフローティングローラーの上に載って巻取り芯６の方へ自在に転がり滑りながら案内されるので、幅方向の動きが拘束されることも無く、ダブツキが緩和され、皺が発生しない。また、フロアーシートが片側に偏って、竹の子状に巻き取られるようなことも無い。
【００２０】
次に、巻取り作業の手順について、説明する。転動輪５、５‘は、フロアーシートＢの幅全体を支承する長軸状のものなので、フロアーシートを直接転動輪の上にのせても、幅の中央が凹まない。そのため、転動輪の上で仮巻きの作業をすることができる。先ず、フロアーシートＢを床の上に広げ、その先端を約１メートル程度折り返す。次に、１メートル程度折り返したフロアーシートを巻取り機側に引き摺り上げ、転動輪５、５’の上に載せる。ついで、このフロアーシートの上に巻取り芯６を載せ、フロアーシートの先端折り返しのはみ出し部分を巻取り芯に巻く。これで、巻取りの準備作業は完了し、次いで、台車のハンドル２３を手押しながら走行することにより、フロアーシートは巻取り芯６に巻取られる。従来の巻取り機のように、一旦、床の上にフロアーシートを広げ、その上に巻取り芯を載せ、フロアーシートの先端部を仮巻きする。その後で、仮巻き状態の巻取り芯を転動輪の上に載せるような二重手間がかからない。また、重くなった巻取り芯を一人で転動輪の上に載せるようなことがなく、一人で仮巻き作業をすることができる。
【００２１】
【発明の効果】
本発明のフロアーシート巻取り機は、長軸状の転動輪によって、フロアーシートの幅方向全体を支承できるものである。即ち、転動輪は巻き取られたフロアーシートの荷重を局所的に集中して受けることが無いので、転動輪のスリップ回転あるいは停止を防止できる。常にフロアーシートに対し、巻き取る力を伝達することができる。巻取り芯の径が大きくなり、重量が嵩んでも、常に巻取る力がフロアーシートに伝達されるので、巻取りが突然、停止するようなことは無い。
【００２２】
一方の車輪がスリップ回転したり、回転停止するようなことが生じても、他方の転動輪に車輪の走行力が伝達されるので、巻取り芯は正常に回転して、フロアーシートを正しく巻き取ることができる。
【００２３】
転動輪は、フロアーシートの幅全体を支承する長軸状なので、仮巻きの時、フロアーシートを直接転動輪の上にのせても、幅の中央が凹むようなことが無い。従って、一人で仮巻き作業をすることができる。
【００２４】
フロアーシートは、フローティングローラーの上に載り、自在に転がりかつ滑りながら巻取り芯の方へ案内されるので、フロアーシートの幅方向の動きが拘束されることも無く、フロアーシートのダブツキが緩和され、皺が発生しない。また、フロアーシートが片側に偏って、竹の子状に巻き取られるようなことも無い。
【００２５】
フローティングローラーが台車の前方に突き出ていない構造なので、巻取り完了後は、台車を斜めに倒し、前方へ巻き芯を蹴り落とすことが可能である。巻き芯を下ろす作業を一人でできる。
【００２６】
以上、初めての人にとっても操作性が良く、フロアーシートを綺麗に巻取ることができる
【００２７】
付随的な効果として、巻取りの直径を拡大できる。フロアーシート巻取り機の台車の上は開放された構造なので、二本の転動輪の上で転がりながら、直径６００ｍｍ程度まで、巻取ることができる。
【図面の簡単な説明】
【図１】従来例を示すもので、フロアーシート巻取り機の斜視図である。
【図２】同上、側面図である。
【図３】同上、伝達機構の平面図である。
【図４】同上、伝達機構の側面図である。
【図５】本発明の実施例を示すもので、フロアーシート巻取り機の平面図である。
【図６】同上、側面図である。
【図７】同上、伝達機構の平面図である。
【図８】同上、伝達機構の側面図である。
【符号の説明】
Ａ  フロアーシート巻取り機
Ｂ  フロアーシート
１、１‘  車輪
２  車軸
３  チェーン
４、４‘  ギア群
５、５‘  転動輪
６  巻取り芯
７  差動装置
８  中間軸
２０  台車
２１、２１‘  フレーム
２２  キャスター
２３  ハンドル
２４  ガイドローラー
２５  フローティングローラー
２６  腕
【図１】
2004307164.tif 000003
【図２】
2004307164.tif 000004
【図３】
2004307164.tif 000005
【図４】
2004307164.tif 000006
【図５】
2004307164.tif 000007
【図６】
2004307164.tif 000008
【図７】
2004307164.tif 000009
【図８】
2004307164.tif 000010